(57)【要約】【課題】フックから受ける負荷に対して十分な耐久性能を備え、破損せず、取付生地から脱落しない鳩目の提供を課題とする。【解決手段】環状の鍔体（１１０）の中央に筒状の係合脚（１１３）を備えた鳩目雄体（１１）と、前記係合脚（１１３）が挿通される係合穴（１０４）を有する環状の鳩目雌体（１０）とからなり、取付生地（３）を介在して鳩目雌体（１０）及び鳩目雄体（１１）を係合して中央穴（１２）を形成する鳩目（１）において、取付生地裏面（３１）側となる鳩目雌体（１０）における拡径鍔体（１００）の直径寸法（ｄ１）が、取付生地表面（３０）側となる鳩目雄体（１１）の鍔体（１１０）の直径寸法（ｄ２）よりも大となるよう形成し、拡径鍔体（１００）は、該拡径鍔体（１００）の係合穴（１０４）の周縁に、鳩目雄体の係合脚先端（１１３ａ）が鳩目雌体の底面（１０６）を水平にするための段周部（１０５）を形成した鳩目。【選択図】　　　　図１０
0003096859.tif 000002
【実用新案登録請求の範囲】
【請求項１】
環状の鍔体（１１０）の中央に筒状の係合脚（１１３）を備えた鳩目雄体（１１）と、前記係合脚（１１３）が挿通される係合穴（１０４）を有する環状の鳩目雌体（１０）とからなり、取付生地（３）を介在して鳩目雌体（１０）及び鳩目雄体（１１）を係合して中央穴（１２）を形成する鳩目（１）において、
取付生地裏面（３１）側となる鳩目雌体（１０）における拡径鍔体（１００）の直径寸法（ｄ１）が、取付生地表面（３０）側となる鳩目雄体（１１）の鍔体（１１０）の直径寸法（ｄ２）よりも大となるように形成し、拡径鍔体（１００）は、該拡径鍔体（１００）の係合穴（１０４）の周縁に、鳩目雄体の係合脚先端（１１３ａ）が鳩目雌体の底面（１０６）と水平にかしめ固定するための段周部（１０５）を形成したことを特徴とする鳩目。
【請求項２】
鳩目雌体（１０）及び／又は鳩目雄体（１１）の挟持面に、突起（１０３）（１１２）を形成したことを特徴とする請求項１記載の鳩目。
【考案の詳細な説明】
【０００１】
【考案が属する技術分野】
本考案は、一般的な装飾用の鳩目とは異なり、例えば、床面に設置される取付生地に取付けて使用する場合には、床面側から立設したフックに対する掛止手段として使用する鳩目や、テントの四隅の生地等において設けられるフレームロッド通し穴の形成・補強部材として用いられ、当該フレームロッドを通して負荷を受ける鳩目等といった、取付生地における部分的な強度を向上させる鳩目に関する。
【０００２】
【従来の技術】
従来の鳩目としては、環状の鍔体の中央に筒状の係合脚を備えた鳩目雄体と、外鳩目雄体の係合脚が挿通される係合穴を有し、且つ、該鳩目雄体の鍔体と同寸法を有する環状の鍔体を備えた鳩目雌体とからなり、取付生地を介在して鳩目雌体及び鳩目雄体を係合した状態で、床面側に立設したフックを挿通可能とする中央穴を形成する鳩目（以下、先行技術１という。）が公知である（例えば、実開平５−０４６９１４号公報第３図及び第４図参照。）。
【０００３】
また、円筒部とこれに連続するとともに外側に向かって湾曲する履輪とを有する鳩目本体（鳩目雄体）と、中央部に前記本体の円筒部が嵌合する開口部を有し、この開口部の周囲には前記履輪側に向かって凸となる第一の湾曲部と、これに連続するとともに前記履輪側に向かって凹となるように湾曲する第二の湾曲部とを有する座金（鳩目雌体）とからなり、前記履輪の直径は前記座金の直径より肉厚分だけ小となるように構成されている鳩目（以下、先行技術２という。）が公知である（例えば、特開平１−９４８０１号公報第３頁（右下欄第８行乃至第１０行）及び同公報第１図及び第８図参照。）。
【０００４】
【考案が解決しようとする課題】
しかし、上記先行技術のうち、先行技術１に係る鳩目においては、掛止されたフックから受ける負荷が鳩目雄体における係合脚先端に集中的に作用することにより、当該鳩目雄体の係合脚先端が破壊されることがあり、該係合脚先端の破壊によって、鳩目雄体と鳩目雌体が離脱し、当該鳩目が脱落することがあった。
【０００５】
また、先行技術２に係る鳩目においては、鳩目雄体の外径寸法が鳩目雌体の外径寸法と比較して、当該鳩目を形成する金属板の肉厚分だけ寸法を小さくすることで生地の破れを防止するとともに、鳩目雄体及び鳩目雌体に設けられる凹凸の湾曲部が形成されおり、二重の線接触によって生地を挟みこむ構造であることで、従来の鳩目より幾分生地に対して強固に取り付けることができるものであるが、当該先行技術２に係る鳩目の構成においても、前記した特開平１−９４８０１号公報第８図にも開示されるように、表面側から挿入される鳩目雄体の係合脚は、裏面において突出した形状であり、フックやテントのフレームロッド等から受ける負荷が当該係合脚に集中することが多く、鳩目雄体の係合脚先端の破損を防止できない。特に当該鳩目を合成樹脂で製造した場合には、樹脂自体の強度を勘案すると、係合脚先端にかかる負荷に十分に耐え得るとは言い難いものである。
【０００６】
更に、鳩目雄体及び鳩目雌体によって線接触となるように挟み込む程度のものであることから、外径寸法が鳩目雌体よりも僅かに大きく形成された鳩目雌体における当該縁部自体が生地を挟み込む機能を備えていることから、結局外径寸法の大きい鳩目雌体の縁部においても負荷が集中することとなり、当該鳩目を合成樹脂製とした場合には、樹脂自体の強度、弾力性等の点から、鳩目雄体の係合脚先端が破損するおそれがあり、また、生地に対する鳩目の取付け強度の確保は困難である。
【０００７】
本考案は、以上の事情に鑑みてなされたものであり、フックやフレームロッド等から受ける負荷に対して十分な耐久性能を備えることにより、当該鳩目の材質にかかわらず、破損することがなく、これによって、鳩目がカーマットやテントの生地といった、フックやフレームロッド等の挿入物による負荷や直接足で踏みつけることによって係合脚先端に対する負荷が作用した場合であっても、取付生地から脱落しない、優れた鳩目を提供することを、考案が解決しようとする課題とする。
【０００８】
【考案が解決しようとする手段】
本考案は、上記課題を達成するため、環状の鍔体の中央に筒状の係合脚を備えた鳩目雄体と、前記係合脚が挿通される係合穴を有する環状の鳩目雌体とからなり、取付生地を介在して鳩目雌体及び鳩目雄体を係合して中央穴を形成する鳩目において、取付生地裏面側となる鳩目雌体における拡径鍔体の直径寸法が、取付生地表面側となる鳩目雄体の鍔体の直径寸法よりも大となるように形成し、拡径鍔体は、該拡径鍔体の係合穴の周縁に、鳩目雄体の係合脚先端が鳩目雌体の底面と水平にかしめ固定するための段周部を形成したことを特徴とする鳩目を、解決手段とするものである。
【０００９】
【考案の効果】
本考案に係る鳩目によれば、上記構成としたことから、当該鳩目に掛止したフックによる負荷を、取付生地の裏面側に位置する鳩目雌体の拡径鍔体全体で受けるとともに、例えば、床面で用いる場合には、鳩目雌体の底面とかしめられた鳩目雄体の係合脚先端全体で、当該床面に負荷を伝達して、鳩目における係合脚先端の破損を防止し、当該係合脚の破損によって取付生地から鳩目が脱落することを防止できる。
【００１０】
【考案の実施の形態及び実施例】
図１は本考案の実施例に係る鳩目における鳩目雄体の平面図、図２は同鳩目雄体の底面図、図３は同鳩目雄体の正面図、図４は図１のＡ−Ａ断面図、図５は本考案の実施例に係る鳩目における鳩目雌体の平面図、図６は同鳩目雌体の底面図、図７は同鳩目雌体の正面図、図８は図５のＢ−Ｂ断面図、図９は本考案の実施例に係る鳩目の拡大断面図、図１０は同鳩目を取付生地に対して取付けた状態を示す拡大断面図、図１１は同実施例に係る鳩目を他の取付生地に対して取付け、フレームロッドを通した状態を示す拡大断面図である。
【００１１】
本考案の実施例に係る鳩目１は、合成樹脂製の鳩目雄体１１と鳩目雌体１０とからなり、取付生地表面３０側に鳩目雄体１１、取付生地裏面３１側に鳩目雌体１０を夫々配置し、予め取付生地３に形成した鳩目取付穴３２に鳩目雄体１１の係合脚１１３を通して、鳩目雌体１１の係合穴１０４の周縁に形成した段周部１０５に対して前記係合脚１１３をかしめることにより、取付生地３に取付け、フック２を当該鳩目１に掛止させることで、床面に対して取付生地３を位置決めするものである。
【００１２】
本考案の実施例に係る鳩目雄体１１は、図１乃至図４に示すように、外径２１ｍｍ、内径１０ｍｍ、厚さ１．５ｍｍ程度の環状となる鍔体１１０の中央に、外径１１．５ｍｍ、高さ８．５ｍｍ程度の筒状の係合脚１１３を備えるとともに、前記鍔体１１０における取付生地３と当接する平面状の挟持面１１１には鳩目の回転止め手段となる円錐状の突起１１２を円形に配列した構成である。
【００１３】
次に、本考案の実施例に係る鳩目雌体１０は、外径３０ｍｍ、厚さ１．５ｍｍ程度で、中央には、前記鳩目雄体１１の係合脚１１３が挿通可能な直径１２ｍｍの係合穴１０４を有し、係合穴１０４の縁部には、前記鳩目雄体１１の係合脚先端１１３ａが、鳩目雌体の底面と水平面としてかしめられるように、段周部１０５を形成している。
【００１４】
また、取付生地３を挟持する平面状の挟持面１０１には、円錐状の突起１０３を円形に配列している。
【００１５】
そして、前記したように、予め係合脚１１３が通る直径１１．５ｍｍ程度の鳩目取付穴３２を形成した取付生地３を挟んで、上記鳩目雄体１１及び鳩目雌体１０を係合するのであるが、かしめ手段により、図９に断面図を示すように、鳩目雄体１１の係合脚先端１１３ａが、拡開されて、鳩目雌体１０の段周部１０５内にかしめ固定され、鳩目雌体１０の底面１０６とかしめられた鳩目雄体１１の係合脚先端１１３ａが水平として形成され、鳩目雌体１０の挟持面１０１と鳩目雄体１１の挟持面１１１が取付生地３を挟み込み、当該鳩目雌体１０の突起１０３及び鳩目雄体１１の突起１１２が取付生地３に突き刺さることとなる。
【００１６】
以上の構成としたことにより、図１０に示すように、フック２から鳩目１に対して大きい負荷が作用した場合には、取付生地裏面３１に位置する鳩目雌体１０の拡径鍔体１００が当該負荷を吸収するとともに、鳩目雌体１０の底面１０６とかしめられた鳩目雄体１１の係合脚先端１１３ａがフック２に対して十分に接触して、当該負荷をフック２を介して床面５０に逃すように作用し、この結果、鳩目雄体１１の係合脚先端１１３ａの破壊が阻止され、当該鳩目１が取付生地３から脱落することを防止するのである。
【００１７】
更に、前記したように鳩目１の各挟持面１０１、１１１に、円錐状の突起１０３、１１２を円形に配列して当該鳩目１の回り止めを行なうことで、鳩目雌体１０における取付生地表面３０側への抜け外れ防止機能をより一層向上させることができる。
【００１８】
また、本実施例に係る鳩目１を、テントの四隅等に取付けて、テントの骨格を形成し、強制的に湾曲されたフレームロッド４の先端部を、前記鳩目１に挿入する場合等には、図１１にその部分拡大断面図を示すように、フレームロッド４が復元力を作用するとともに、当該鳩目を踏んだ場合であっても、同様に、取付生地裏面３１に位置する鳩目雌体１０の拡径鍔体１００が当該負荷を吸収するとともに、鳩目雌体１０の底面１０６とかしめられた鳩目雄体１１の係合脚先端１１３ａが地面５１に対して全体で接触して、当該負荷を地面５１に逃すように作用し、この結果、鳩目雄体１１の係合脚先端１１３ａの破壊が阻止され、当該鳩目１が取付生地３から脱落することを防止するのである。
【００１９】
尚、本考案においては、上記実施例に開示した合成樹脂製の鳩目雄体及び鳩目雌体に限らず、金属製の鳩目を使用することもできるが、前記合成樹脂製の鳩目雄体１１及び鳩目雌体１０の場合には、金属製のものと比べて、更に強度を確保する必要があることから、非常に都合がよい。
【００２０】
また本考案の実施例においては、前記したように予め取付生地３に鳩目取付穴３２を形成したが、例えば、取付生地３が薄い場合には、金属製の鳩目雄体及び鳩目雌体を使用して、取付生地３を打抜いて取付けることもできる。
【００２１】
更に、鳩目雄体の係合脚をかしめるに際しては、使用する鳩目の材質によっては、加熱を伴ってかしめ作業を行なうことができる。
【００２２】
尚、本考案の実施例においてはカーマットやテントに当該鳩目を用いる場合を挙げたが、本考案はこれらに限るものではなく、装飾のみを目的とせず、鳩目の穴に挿入物を挿通するものであれば、取付対象物は限定しない趣旨である。
【図面の簡単な説明】
【図１】本考案の実施例に係る鳩目における鳩目雄体の平面図である。
【図２】本考案の実施例に係る鳩目における鳩目雄体の底面図である。
【図３】本考案の実施例に係る鳩目における鳩目雄体の正面図である。
【図４】本考案の実施例に係る鳩目における鳩目雄体のＡ−Ａ断面図である。
【図５】本考案の実施例に係る鳩目における鳩目雌体の平面図である。
【図６】本考案の実施例に係る鳩目における鳩目雌体の底面図である。
【図７】本考案の実施例に係る鳩目における鳩目雌体の正面図である。
【図８】本考案の実施例に係る鳩目における鳩目雌体のＢ−Ｂ断面図である。
【図９】本考案の実施例に係る鳩目を取付生地に対して取り付けた状態を示すの拡大断面図である。
【図１０】本考案の実施例に係る鳩目を取付生地に対して取付け、フックを係合した態を示す拡大断面図である。
【図１１】本考案の実施例に係る鳩目を他の取付生地に対して取付け、フレームロッドを通した状態を示す拡大断面図である。
【符号の説明】
１　　　　鳩目
１０　　　鳩目雌体
１００　　拡径鍔体
１０１　　挟持面
１０３　　突起
１０４　　係合穴
１０５　　段周部
１０６　　底面
１１　　　鳩目雄体
１１０　　鍔体
１１１　　挟持面
１１２　　突起
１１３　　係合脚
１１３ａ　係合脚先端
２　　　　フック
３　　　　取付生地
３０　　　取付生地表面
３１　　　取付生地裏面
３２　　　鳩目取付穴
４　　　　フレームロッド
５０　　　床面
５１　　　地面
ｄ１　　　直径寸法
ｄ２　　　直径寸法
【図１】
0003096859.tif 000003
【図２】
0003096859.tif 000004
【図３】
0003096859.tif 000005
【図４】
0003096859.tif 000006
【図５】
0003096859.tif 000007
【図６】
0003096859.tif 000008
【図７】
0003096859.tif 000009
【図８】
0003096859.tif 000010
【図９】
0003096859.tif 000011
【図１０】
0003096859.tif 000012
【図１１】
0003096859.tif 000013